(57)【要約】【課題】入手を希望する医薬品の備蓄状況に関する最新の情報を容易に入手可能な医薬品情報検索システムの提供を目的とする。また、ホストコンピュータを不要とする医薬品情報検索システムの提供を目的とする。【解決手段】医薬品情報検索システムは、需要側端末である薬局端末１００ａと、薬局端末１００ａとネットワークを介してピア・ツー・ピアで接続する供給側端末である薬局端末１００ｂ，１００ｃ等とを備える。薬局端末１００ｂ、１００ｃ等のそれぞれは、小分け可能な小分け可能医薬品情報を記憶している。薬局端末１００ａは希望医薬品情報を入力する希望医薬品情報入力部と、入力された希望医薬品情報に基づいて、複数の供給側端末のうち少なくとも一つの供給側端末の記憶する小分け可能医薬品情報を検索し入手を希望する医薬品が供給可能かどうかを確認する検索確認部と、前記検索確認部による確認結果を表示する表示部とを備えた。【選択図】        図１
2005250617.tif 000002
【特許請求の範囲】
【請求項１】
医薬品の入手を希望する需要側端末と、前記需要側端末とネットワークを介して接続し、
供給可能な医薬品の情報を示す供給可能医薬品情報を前記需要側端末に提供する複数の供給側端末とを備えた医薬品情報検索システムであって、
前記複数の供給側端末のそれぞれは、
供給可能医薬品情報を記憶する供給可能医薬品情報記憶部を備え、
前記需要側端末は、
入手を希望する医薬品の情報を示す希望医薬品情報を入力する希望医薬品情報入力部と、
前記希望医薬品情報入力部より入力された希望医薬品情報に基づいて、前記複数の供給側端末のうち少なくとも一つの供給側端末の備える前記供給可能医薬品情報記憶部が記憶する供給可能医薬品情報を検索し入手を希望する医薬品の供給を受けることが可能かどうかを確認する検索確認部と、
前記検索確認部による確認結果を表示する表示部と
を備えたことを特徴とする医薬品情報検索システム。
【請求項２】
前記需要側端末と前記複数の供給側端末とは、
対等な接続関係を示すピア・ツー・ピアで接続されていることを特徴とする請求項１記載の医薬品情報検索システム。
【請求項３】
前記供給可能医薬品情報は、
供給可能な医薬品の名称と、供給可能な医薬品の数量とを含み、
前記希望医薬品情報は、
入手を希望する医薬品の名称を含むことを特徴とする請求項１または２記載の医薬品情報検索システム
【請求項４】
供給可能な医薬品の情報を示す供給可能医薬品情報を記憶し供給可能医薬品情報を提供する複数の供給側端末とネットワークを介して接続し、前記複数の供給側端末から供給可能医薬品情報の提供を受ける需要側端末であって、
入手を希望する医薬品の情報を示す希望医薬品情報を入力する希望医薬品情報入力部と、
前記希望医薬品情報入力部より入力された希望医薬品情報に基づいて、前記複数の供給側端末のうち少なくとも一つの供給側端末が記憶する供給可能医薬品情報を検索し入手を希望する医薬品の供給を受けることが可能かどうかを確認する検索確認部と、
前記検索確認部による確認結果を表示する表示部と
を備えたことを特徴とする需要側端末。
【請求項５】
前記需要側端末は、さらに、
前記複数の供給側端末をリストとして記憶する端末リスト記憶部と、
前記端末リスト記憶部の記憶するリストに基づいて、前記検索確認部により供給可能医薬品情報が検索される供給側端末の集合を示す検索対象グループを設定する検索対象グループ設定部とを備え、
前記検索確認部は、
前記検索対象グループ設定部の設定した検索対象グループに属するそれぞれの供給側端末について、それぞれの供給側端末の記憶する供給可能医薬品情報を検索し入手を希望する医薬品の供給を受けることが可能かどうかを確認することを特徴とする請求項４記載の需要側端末。
【請求項６】
前記検索確認部は、
前記検索対象グループ設定部の設定した検索対象グループに属するそれぞれの供給側端末を示すグループ所属端末を巡回するエージェントを生成し、生成したエージェントにそれぞれのグループ所属端末を巡回させてそれぞれのグループ所属端末の記憶する供給可能医薬品情報を検索させ入手を希望する医薬品の供給を受けることが可能かどうかを確認させることを特徴とする請求項５記載の需要側端末。
【請求項７】
供給可能な医薬品の情報を示す供給可能医薬品情報を記憶し供給可能医薬品情報を提供する複数の供給側端末から供給可能医薬品情報の提供を受けることにより、入手を希望する医薬品を検索する医薬品情報検索プログラムであって、
入手を希望する医薬品の情報を示す希望医薬品情報を受け付ける処理と、
受け付けた希望医薬品情報に基づいて、前記複数の供給側端末のうち少なくとも一つの供給側端末が記憶する供給可能医薬品情報を検索し入手を希望する医薬品の供給を受けることが可能かどうかを確認する処理と、
確認結果を表示する処理と
をコンピュータに実行させることを特徴とする医薬品情報検索プログラム。
【請求項８】
対等な接続関係を示すピア・ツー・ピアによりネットワークを介して接続された複数の端末を備えた端末システムであって、
前記複数の端末のそれぞれは、
他の端末に対して供給可能な医薬品についての情報を供給可能医薬品情報として記憶するとともに、
入手を希望する医薬品についての情報を示す希望医薬品情報の入力を受け付けた場合に、他の端末の記憶する供給可能医薬品情報を検索し入手を希望する医薬品の供給を受けることができるかどうかを確認することを特徴とする端末システム。
【請求項９】
前記端末のそれぞれは、
他の複数の端末をリストとして記憶する端末リスト記憶部と、
前記端末リスト記憶部の記憶するリストに基づいて、供給可能医薬品情報が検索される他の端末の集合を示す検索対象グループを設定する検索対象グループ設定部とを備え、
前記検索対象グループ設定部の設定した検索対象グループに属するそれぞれの他の端末について、それぞれの他の端末の記憶する供給可能医薬品情報を検索し入手を希望する医薬品の供給を受けることが可能かどうかを確認することを特徴とする請求項８記載の端末システム。
【請求項１０】
前記複数の端末のそれぞれは、
前記検索対象グループ設定部の設定した検索対象グループに属するそれぞれの他の端末を示すグループ所属端末を巡回するエージェントを生成し、生成したエージェントにそれぞれのグループ所属端末を巡回させてそれぞれのグループ所属端末の記憶する供給可能医薬品情報を検索させ入手を希望する医薬品の供給を受けることが可能かどうかを確認させることを特徴とする請求項９記載の端末システム。
【請求項１１】
前記供給可能医薬品情報は、
供給可能な医薬品の名称と、供給可能な医薬品についての数量とを含み、
前記希望医薬品情報は、
入手を希望する医薬品の名称を含むことを特徴とする請求項８または９または１０記載の端末システム。
【発明の詳細な説明】
【技術分野】
【０００１】
本発明は、医薬品の入手を希望する需要側端末で医薬品を指定して、供給可能な医薬品についての情報を有する供給側端末を順次検索する医薬品情報検索システムに関する。
【背景技術】
【０００２】
従来、薬局は備蓄していない医薬品の処方箋を受け付けた場合、近隣の薬局間で入手を希望する医薬品を融通しあっていた。このため、医薬品を希望する薬局は、例えば、その医薬品を備蓄する薬局が見つかるまで近隣薬局に電話をかけ続ける必要があり、非常に不便であった。
【０００３】
この点に関して、例えば、特開２００１−３０６６９９号公報では、「インターネット等の通信網を利用し、医薬品等の供給側（備蓄側）とその需要側（入手希望側）とをホームページ上で仲介し、効率的な医薬品の相互融通を促進し、備蓄医薬品の迅速な流通・供給を可能とする。」を課題とする技術を開示している。
【０００４】
しかし、特開２００１−３０６６９９号公報に代表される従来技術における在庫管理検索システムの運用形態は、クライアント／サーバシステムである。図１２は、従来の在庫管理検索システムを示す図である。従来では図に示すようにクライアント端末１ａ〜１ｅ等が通信網３を介してホストコンピュータ２と接続されたシステムとなっている。このようなシステムでは、クライアント端末である複数の供給側端末が、一定時間毎に、ホストコンピュータに対して、供給側の在庫情報データをアップデートする。需要側端末は、ホストコンピュータを見ることで、供給側端末の在庫情報を知ることが可能である。
【０００５】
この形態の問題点は、ホストコンピュータに在庫情報をアップデートするまでは在庫情報が需要側端末には伝わらないことである。
【０００６】
さらに、このクライアント／サーバシステムでは、需要と供給を媒介するホストコンピュータを運営する必要があり、運営コストが必要となっている。
【特許文献１】特開２００１−３０６６９９号公報
【発明の開示】
【発明が解決しようとする課題】
【０００７】
本発明は、入手を希望する医薬品の備蓄状況に関する最新の情報を容易に入手可能な医薬品情報検索システムの提供を目的とする。また、ホストコンピュータを不要とする医薬品情報検索システムの提供を目的とする。
【課題を解決するための手段】
【０００８】
本発明の医薬品情報検索システムは、
医薬品の入手を希望する需要側端末と、前記需要側端末とネットワークを介して接続し、
供給可能な医薬品の情報を示す供給可能医薬品情報を前記需要側端末に提供する複数の供給側端末とを備えた医薬品情報検索システムであって、
前記複数の供給側端末のそれぞれは、
供給可能医薬品情報を記憶する供給可能医薬品情報記憶部を備え、
前記需要側端末は、
入手を希望する医薬品の情報を示す希望医薬品情報を入力する希望医薬品情報入力部と、
前記希望医薬品情報入力部より入力された希望医薬品情報に基づいて、前記複数の供給側端末のうち少なくとも一つの供給側端末の備える前記供給可能医薬品情報記憶部が記憶する供給可能医薬品情報を検索し入手を希望する医薬品の供給を受けることが可能かどうかを確認する検索確認部と、
前記検索確認部による確認結果を表示する表示部と
を備えたことを特徴とする。
【０００９】
前記需要側端末と前記複数の供給側端末とは、
対等な接続関係を示すピア・ツー・ピアで接続されていることを特徴とする。
【００１０】
前記供給可能医薬品情報は、
供給可能な医薬品の名称と、供給可能な医薬品の数量とを含み、
前記希望医薬品情報は、
入手を希望する医薬品の名称を含むことを特徴とする。
【００１１】
本発明の需要側端末は、
供給可能な医薬品の情報を示す供給可能医薬品情報を記憶し供給可能医薬品情報を提供する複数の供給側端末とネットワークを介して接続し、前記複数の供給側端末から供給可能医薬品情報の提供を受ける需要側端末であって、
入手を希望する医薬品の情報を示す希望医薬品情報を入力する希望医薬品情報入力部と、
前記希望医薬品情報入力部より入力された希望医薬品情報に基づいて、前記複数の供給側端末のうち少なくとも一つの供給側端末が記憶する供給可能医薬品情報を検索し入手を希望する医薬品の供給を受けることが可能かどうかを確認する検索確認部と、
前記検索確認部による確認結果を表示する表示部と
を備えたことを特徴とする。
【００１２】
前記需要側端末は、さらに、
前記複数の供給側端末をリストとして記憶する端末リスト記憶部と、
前記端末リスト記憶部の記憶するリストに基づいて、前記検索確認部により供給可能医薬品情報が検索される供給側端末の集合を示す検索対象グループを設定する検索対象グループ設定部とを備え、
前記検索確認部は、
前記検索対象グループ設定部の設定した検索対象グループに属するそれぞれの供給側端末について、それぞれの供給側端末の記憶する供給可能医薬品情報を検索し入手を希望する医薬品の供給を受けることが可能かどうかを確認することを特徴とする。
【００１３】
前記検索確認部は、
前記検索対象グループ設定部の設定した検索対象グループに属するそれぞれの供給側端末を示すグループ所属端末を巡回するエージェントを生成し、生成したエージェントにそれぞれのグループ所属端末を巡回させてそれぞれのグループ所属端末の記憶する供給可能医薬品情報を検索させ入手を希望する医薬品の供給を受けることが可能かどうかを確認させることを特徴とする。
【００１４】
本発明の医薬品情報検索プログラムは、
供給可能な医薬品の情報を示す供給可能医薬品情報を記憶し供給可能医薬品情報を提供する複数の供給側端末から供給可能医薬品情報の提供を受けることにより、入手を希望する医薬品を検索する医薬品情報検索プログラムであって、
入手を希望する医薬品の情報を示す希望医薬品情報を受け付ける処理と、
受け付けた希望医薬品情報に基づいて、前記複数の供給側端末のうち少なくとも一つの供給側端末が記憶する供給可能医薬品情報を検索し入手を希望する医薬品の供給を受けることが可能かどうかを確認する処理と、
確認結果を表示する処理と
をコンピュータに実行させることを特徴とする。
【００１５】
本発明の端末システムは、
対等な接続関係を示すピア・ツー・ピアによりネットワークを介して接続された複数の端末を備えた端末システムであって、
前記複数の端末のそれぞれは、
他の端末に対して供給可能な医薬品についての情報を供給可能医薬品情報として記憶するとともに、
入手を希望する医薬品についての情報を示す希望医薬品情報の入力を受け付けた場合に、他の端末の記憶する供給可能医薬品情報を検索し入手を希望する医薬品の供給を受けることができるかどうかを確認することを特徴とする。
【００１６】
前記端末のそれぞれは、
他の複数の端末をリストとして記憶する端末リスト記憶部と、
前記端末リスト記憶部の記憶するリストに基づいて、供給可能医薬品情報が検索される他の端末の集合を示す検索対象グループを設定する検索対象グループ設定部とを備え、
前記検索対象グループ設定部の設定した検索対象グループに属するそれぞれの他の端末について、それぞれの他の端末の記憶する供給可能医薬品情報を検索し入手を希望する医薬品の供給を受けることが可能かどうかを確認することを特徴とする。
【００１７】
前記複数の端末のそれぞれは、
前記検索対象グループ設定部の設定した検索対象グループに属するそれぞれの他の端末を示すグループ所属端末を巡回するエージェントを生成し、生成したエージェントにそれぞれのグループ所属端末を巡回させてそれぞれのグループ所属端末の記憶する供給可能医薬品情報を検索させ入手を希望する医薬品の供給を受けることが可能かどうかを確認させることを特徴とする。
【００１８】
前記供給可能医薬品情報は、
供給可能な医薬品の名称と、供給可能な医薬品についての数量とを含み、
前記希望医薬品情報は、
入手を希望する医薬品の名称を含むことを特徴とする。
【発明の効果】
【００１９】
本発明により、入手を希望する医薬品の最新の備蓄状況情報を容易に得ることができる。また、ホストコンピュータを不要とするシステムを提供することができる。
【発明を実施するための最良の形態】
【００２０】
実施の形態１．
以下、図１〜図９を参照して本発明の実施の形態１について説明する。図中、同一又は相当する部分には同一の符号を付してその説明を簡略し、ないし、省略する。なお、本発明は、下記実施の形態１、実施の形態２に制限されるものではない。
【００２１】
実施の形態１は、医薬品の入手を希望する需要側端末で医薬品を指定して入力すると、需要側端末は、供給側端末が予め記憶する供給可能医薬品情報を、ネットワークを介して順次検索し、その医薬品を備蓄している薬局を表示する実施形態である。ここで「供給可能医薬品情報」とは、薬局が他の薬局に供給することが可能な医薬品について、その名称や供給可能な「小分け数」（数量）を含む情報である。また、「供給可能医薬品情報」を「小分可能医薬品情報」と呼ぶことがある。「小分け」とは、「供給」と同じ意味である。また、供給可能な医薬品を「供給可能医薬品」、あるいは「小分可能医薬品」と呼ぶ。本実施の形態により、供給側、需要側相互に利用可能な医薬品情報検索システムの提供が可能となる。
【００２２】
図１は、実施の形態１に係る医薬品情報検索システム１１１を示す図である。医薬品情報検索システム１１１では、薬局１１０ａには薬局端末１００ａが設置され、薬局１１０ｂには薬局端末１００ｂが設置され、薬局１１０ｃには薬局端末１００ｃが設置されている。図１では、説明のために薬局及び薬局端末は３つを図示しているが、これらの数は限定しない。薬局端末１００ａ、薬局端末１００ｂ、及び薬局端末１００ｃは、ネットワーク２００に接続しており、ピア・ツー・ピア（ｐｅｅｒ  ｔｏ  ｐｅｅｒ）により互いに通信を行う。
【００２３】
薬局端末１００ａ、薬局端末１００ｂ、薬局端末１００ｃ等は、自己以外の端末（薬局）に供給可能な医薬品についての供給可能医薬品情報を記憶している。薬局端末１００ａを例にとると、薬局端末１００ａは医薬品の入手の必要が生じた場合には、医薬品の入手を希望する需要側端末として、薬局端末１００ｂ、薬局端末１００ｃの記憶する供給可能医薬品情報を検索する。この場合、薬局端末１００ｂ、薬局端末１００ｃは、供給可能医薬品情報を需要側端末に提供する供給側端末である。また、薬局端末１００ａは、薬局端末１００ｂ、あるいは薬局端末１００ｃが医薬品の入手の必要を生じた場合には、薬局端末１００ｂ、あるいは薬局端末１００ｃから自己の記憶する供給可能医薬品情報を検索される。この場合、薬局端末１００ａは、供給側端末であり、薬局端末１００ｂ、あるいは薬局端末１００ｃは需要側端末である。このように図１の医薬品情報検索システム１１１では、各薬局端末は需要側端末と供給側端末の機能を併せ持つ。各薬局端末は医薬品についての情報を互いに検索を行い、また、供給を行う。
【００２４】
図２は、薬局端末１００ａの構成を示すブロック図を示す。薬局端末１００ｂ，薬局端末１００ｃの構成は図示していないが、構成は薬局端末１００ａと同じである。すなわち、薬局端末１００ａ、薬局端末１００ｂ，薬局端末１００ｃは同じ構成の端末である。薬局端末１００ｂ，薬局端末１００ｃの構成要素の説明が必要な場合は、薬局端末１００ａの構成要素に対して符号のアルファベットをｂ，ｃに変更して薬局端末１００ｂ，薬局端末１００ｃの構成要素として説明する。
【００２５】
前述のように、薬局端末１００ａは、薬局端末１００ｂ，薬局端末１００ｃに医薬品の供給を求める需要側端末の機能を有する。また、薬局端末１００ｂあるいは薬局端末１００ｃから医薬品の供給を求められる供給側端末の機能も有する。
【００２６】
薬局端末１００ａは、他の薬局端末の供給可能医薬品情報を検索する機能を有する需要部１０ａ、他の薬局端末に供給可能医薬品情報を提供する供給部２０ａ、所定の画面を表示する表示部３１ａ、及び他の薬局端末と通信を行う通信部３２ａを備える。
【００２７】
需要部１０ａは、入手を希望する医薬品に関する情報を入力する希望医薬品情報入力部１１ａ、他の薬局端末の記憶する供給可能医薬品情報を検索する検索確認部１２ａ、検索確認部１２ａの検索した結果を記憶する検索情報記憶部１３ａ、検索する他の薬局端末をグループ化する検索対象グループ設定部１４ａ、他の薬局端末をリストとして記憶する端末リスト記憶部１５ａを備える。また、端末リスト記憶部１５ａは、端末リスト１６ａと検索対象グループ設定部１４ａの設定したグループリスト１７ａを格納する。
【００２８】
供給部２０ａは、各薬局が自己の薬局の情報である自薬局情報を入力する自薬局情報入力部２１ａ、作成した自薬局情報を他の各薬局端末に同報発信する同報発信制御部２３ａ、医薬品の在庫状況を管理し他の薬局に供給可能な医薬品の名称と数量とを含む「管理部出力ファイル」を出力する在庫医薬品情報管理部２４ａ、在庫医薬品情報管理部２４ａの出力する「管理部出力ファイル」を入力する指定フォルダ２５ａ、供給可能医薬品情報を作成する供給可能医薬品情報作成部２６ａ、及び供給可能医薬品情報を記憶する供給可能医薬品情報記憶部２７ａとを備える。
【００２９】
次に、動作の概要を説明する。図３は、医薬品情報検索システム１１１における薬局端末の動作の概要を示すシーケンス図である。動作の概要をＳ（ステップ）１〜Ｓ８に示す。なお、各ステップの詳細な動作については別途後述する。また以下では、薬局端末１００ａを需要側端末とし、薬局端末１００ｂ、薬局端末１００ｃ及び図示していない他の薬局端末を供給側端末と想定する。
【００３０】
Ｓ１において、需要側、供給側の両者の各薬局端末は、供給可能医薬品情報を蓄積する。
【００３１】
Ｓ２において、需要側、供給側の両者の各薬局端末は、自薬局情報を作成する。
【００３２】
Ｓ３において、需要側、供給側の両者の各薬局端末は自薬局情報を他の各薬局端末に対して同報発信する。
【００３３】
Ｓ４において、需要側、供給側の両者の各薬局端末は、他の薬局端末から同報発信された自薬局情報を受信して、他の薬局端末（他の薬局）についてのリストである端末リストとして記憶する。
【００３４】
Ｓ５において、需要側、供給側の各薬局端末は、端末リストに基づいて他の薬局端末の集合であるグループリストを作成する。供給可能医薬品情報を検索する際は、このグループに属する薬局端末を検索する。このグループリストにより検索範囲を絞り込む。
【００３５】
Ｓ６において、需要側端末である薬局端末１００ａは、グループリストに掲載された検索対象グループに属する各薬局端末の供給可能医薬品情報を順次検索し、入手を希望する医薬品を検索した薬局端末（薬局）から供給を受けることが可能かどうかを各薬局端末ごとに確認し確認結果を入手する。
【００３６】
Ｓ７において、薬局端末１００ａが入手した確認結果により、入手を希望する医薬品を供給可能な薬局端末（薬局）に対して当該医薬品の小分けを依頼する。
【００３７】
Ｓ８において、当該医薬品を供給可能な薬局端末（薬局）から、小分けの依頼に対する応答により一連の過程が終了する。
【００３８】
以上ではＳ１〜Ｓ８の順序で説明したが、図３において枠で囲ったＳ１〜Ｓ５の各過程は、都度行われる過程である。すなわち、Ｓ１での供給可能医薬品情報は、都度、蓄積される。Ｓ２の自薬局情報の作成は、自薬局情報が変更になった場合に行われる。また、Ｓ３の同報発信も、都度、行われる。例えば、一定時間ごと、あるいは、薬局端末１００ａ等の起動時、あるいは、自薬局情報を変更した時などに行われる。また、Ｓ４の端末リストの作成、及びＳ５のグループリストの作成も、都度、行われる。例えば、Ｓ４の端末リストの作成は、新しくシステムに加わった他の薬局端末からこの薬局の自薬局情報を受信した場合に行われる。
【００３９】
次に、図４、図５を用いて、前記Ｓ１の「供給可能医薬品情報の蓄積」の動作を詳しく説明する。図４は、供給可能医薬品情報の蓄積を説明するフローチャートである。また、図５は、供給可能医薬品情報記憶部２７ａに蓄積される供給可能医薬品情報を整備するためのメンテナンス画面を示している。
【００４０】
Ｓ１０１において、表示部３１ａは、図５に示す「小分可能医薬品メンテナンス画面４０」を表示する。
【００４１】
Ｓ１０２において、供給可能医薬品情報作成部２６ａは、指定フォルダ２５ａに指定レイアウトの「管理部出力ファイル」が存在するかを確認する。「管理部出力ファイル」は、在庫医薬品情報管理部２４ａが、指定フォルダ２５ａに指定レイアウトの形式で出力するファイルである。「管理部出力ファイル」は、他の薬局端末に対して供給の可能な医薬品の名称、当該医薬品のメーカー名、及び供給可能な数量である「小分け数」を含む。この「小分け数」とは、供給可能な医薬品の数量を意味する。
【００４２】
Ｓ１０３において、供給可能医薬品情報作成部２６ａは、指定フォルダ２５ａに「管理部出力ファイル」が存在する場合は、「管理部出力ファイル」を供給可能医薬品情報記憶部２７ａに転送し、記憶させる。供給可能医薬品情報記憶部２７ａは、転送された「管理部出力ファイル」を供給可能医薬品情報として記憶する。供給可能医薬品情報作成部２６ａは、供給可能医薬品情報を表示部３１ａに表示することができる。図５では、供給可能医薬品情報として医薬品名、メーカー名、及び小分数を表示している。図５では、小分可能医薬品入力部４２に医薬品「ビ○ス○」を入力して、自薬局が供給可能な医薬品を表示する場合を示している。
【００４３】
Ｓ１０４において、供給可能医薬品情報作成部２６ａは、指定フォルダ２５ａに「管理部出力ファイル」が存在しない場合は、「小分可能医薬品メンテナンス画面４０」において、手動入力を要求する。具体的には、供給可能医薬品情報作成部２６ａは、図５の「小分可能医薬品メンテナンス画面４０」の「自局小分可能医薬品一覧４１」において、「医薬品名」、「メーカー名」及び「小分数」の各欄に「？？？」を表示し入力を要求する。薬局端末１００ａを操作するユーザ（各薬局であり、以後薬局をユーザともいう）は、「？？？」の表示に応答して、「医薬品名」、「メーカー名」、「小分数」を入力する。入力するべきデータが存在しない場合は、例えば、「０」を入力する。
【００４４】
以上、Ｓ１０１〜Ｓ１０４により供給可能医薬品情報記憶部２７ａに小分可能医薬品情報を蓄積する。なお、この小分可能医薬品情報を蓄積する処理は、図３ではＳ１として、最初の処理としているが、前述のように、都度行う。
【００４５】
次に、図６を用いて図３におけるＳ２の自薬局情報の入力処理について説明する。図６は初期設定画面５０を示す図である。各薬局端末のユーザは、初期設定として、各薬局端末に自己の薬局の情報を自薬局情報として入力する。「自薬局情報」とは、需要側の他の薬局が自己の薬局へアクセスするために必要な情報であり、後述のように「薬局名」や「電話番号」等を含む。薬局端末１００ａは自薬局情報として薬局１１０ａの情報を入力し、薬局端末１００ｂは自薬局情報として薬局１１０ｂの情報を入力し、薬局端末１００ｃは自薬局情報として薬局１１０ｃの情報を入力する。そして、この自薬局情報を同報発信して他の薬局端末に送る。これにより、薬局は他の薬局の薬局名、電話番号等を入手する。
【００４６】
薬局端末による自薬局情報の入力処理の動作を説明する。
（１）まず、ユーザが所定の入力開始の操作を行うと、表示部３１ａは図６に示す初期設定画面５０を表示する。初期設定画面５０の下半分が、自薬局情報の入力画面である。
（２）次に、自薬局情報入力部２１ａは、自薬局情報の入力画面を介して自薬局情報の入力を受け付ける。図６の画面は自薬局情報の一例として、自薬局情報入力部２１ａが「薬局名」、「担当者」、「電話番号」、「ＦＡＸ番号」、「薬局端末のメールアドレス」、自己の薬局が所属する「所属グループ」、及び営業日、営業時間等を受け付けた場合を示している。
【００４７】
次に、図３のＳ３における自薬局情報の同報発信について説明する。各薬局端末である薬局端末１００ａ、薬局端末１００ｂ等は自薬局情報を他の薬局端末に同報発信（ブロードキャスト）する。例えば、薬局端末１００ａは、同報発信制御部２３ａにより、薬局端末１００ｂ及び薬局端末１００ｃ等に自己の自薬局情報を同報発信する。ネットワーク２００には、薬局端末１００ｂ、薬局端末１００ｃ以外にも多くの端末が接続している。この場合、同報発信制御部２３ａは、同報発信には、例えば、公知の技術であるＩＰ（Ｉｎｔｅｒｎｅｔ  Ｐｒｏｔｏｃｏｌ）  Ｍｅｓｓｅｎｇｅｒ（ｈｔｔｐ：／／ｗｗｗ．ｃｙｂｅｒｃｏｍ．ｃｏ．ｊｐ／〜ｍｉｋｉｏ／ｉｐｍｓｇ／ｄｏｃ／ｉｐｍｓｇ＿ｐｒｏｔｏｃｏｌ．ｈｔｍｌ）の技術を用いる。同報発信制御部２３ａは、前記ＩＰ  Ｍｅｓｓｅｎｇｅｒと同様の同報発信技術を使用することにより、他の薬局端末の薬局情報を取得することが可能となる。
【００４８】
次に、図３のＳ４における端末リストの作成と、Ｓ５におけるグループリストの作成について説明する。検索対象グループ設定部１４ａは、他の薬局端末からそれぞれの自薬局情報を受信すると、それぞれの薬局端末を端末リスト記憶部１５ａに端末リスト１６ａとして記憶する。端末リスト１６ａ（リストの形式は図示していない）は、各薬局端末から受信した自薬局情報を各薬局端末ごとに、図６の画面に示した自薬局情報の入力形式と同様の形式で掲載する。各薬局端末は、入手を希望する医薬品がある場合には端末リスト１６ａに掲載された薬局端末を検索して、入手を希望する医薬品の供給を受けることが可能かどうかを確認する。
【００４９】
次に、検索対象グループ設定部１４ａは、端末リスト記憶部１５ａの記憶する端末リスト１６ａに掲載されている薬局端末の中から検索の対象とする複数の薬局端末を選択して検索対象グループを設定する。そして、検索対象グループ設定部１４ａは、設定した検索対象グループをグループリスト１７ａとして端末リスト記憶部１５ａに記憶する。検索確認部１２ａが薬局端末を検索する場合は、グループリスト１７ａに掲載された薬局端末を検索する。このグループ設定により検索確認部１２ａによる検索の範囲を絞ることで、効率的に入手を希望する医薬品の検索を行う。
【００５０】
図６の初期設定画面５０の上半分の画面は、グループ設定の一例を示す。初期設定画面５０の上半分のグループ名入力部５１に「○○地区薬剤師会」と入力することにより、検索対象グループ設定部１４ａは、「○○地区薬剤師会」に所属する薬局（薬局端末）を検索対象グループとして設定する。ここで、薬局の所属するグループである「○○地区薬剤師会」の情報は、図６の初期設定画面５０の下半分の画面に示す自薬局情報の「所属グループ」として入力され同報発信されたものである。すなわち、例えば、薬局端末１００ａが「○○地区薬剤師会」に属する複数の薬局端末から各自薬局情報を受信し、これらを含む端末リスト１６ａを作成した場合は、図６の初期設定画面５０の上半分の画面においてグループ名入力部５１に「○○地区薬剤師会」と入力することにより、検索対象グループ設定部１４ａは、端末リスト１６ａのうち「○○地区薬剤師会」に属する薬局端末を選択して「○○地区薬剤師会」というグループを作成し、端末リスト記憶部１５ａにグループリスト１７ａの形式で記憶させる。
【００５１】
検索対象グループの設定は、自由に行うことができる。例えば、自己の薬局の所属するグループを検索対象グループとして設定しても構わない。図６の初期設定画面５０の上半分の画面に表示する「自グループ薬局」を選択した場合には、自己が所属するグループを検索対象グループとして設定することができる。また、検索対象グループを設定しなくても構わない。その場合は、端末リスト１６ａの全薬局が対象となる。図６の初期設定画面５０の上半分の画面に表示する「全薬局」は、この場合を示している。
【００５２】
次に、図７、図８、図９を用いて、図３のＳ６〜Ｓ８における需要側端末である薬局端末１００ａが供給側端末である薬局端末を検索してから、小分依頼の応答を受けるまでの過程を説明する。前述のように、図１の薬局端末１００ａを需要側端末とする。また、薬局端末１００ａ以外の薬局端末１００ｂ、薬局端末１００ｃ等を供給側端末とする。
【００５３】
図７は、需要側端末である薬局端末１００ａが供給側端末を検索して、入手を希望する医薬品の供給を受けるまでの過程を示すフローチャートである。
【００５４】
図８は、薬局端末１００ａの表示部３１ａに表示される希望医薬品情報の希望医薬品情報入力画面６０を示す図である。「希望医薬品情報」とは、需要側端末が入手を希望する医薬品についての情報である。少なくとも入手を希望する医薬品の名称を含む。
【００５５】
図９は、薬局端末１００ａの表示部３１ａに表示される検索結果画面７０を示す図である。
【００５６】
次に、図７を参照して薬局端末１００ａにより需要側端末を検索して、入手を希望する医薬品の供給を受けるまでの過程を説明する。
【００５７】
Ｓ２０１において、表示部３１ａは、図８に示す希望医薬品情報入力画面６０を表示する。図８に示すように、希望医薬品情報入力画面６０は、検索対象のグループ名を入力するグループ名入力部６２、入手を希望する医薬品の名称を入力する検索医薬品入力部６１等を有する。グループ名を入力すると、検索対象グループ設定部１４ａが予め設定し、グループリスト１７ａに記憶されている所定のグループに属する薬局名が図に示すように「ＡＢＣ薬局」、「１２３薬局」等のように表示される。
【００５８】
Ｓ２０２において、希望医薬品情報入力部１１ａは、希望医薬品情報入力画面６０のグループ名入力部６２を介してグループ名を受け付ける。また、入手を希望する医薬品の名称を検索医薬品として検索医薬品入力部６１を介して受け付ける。
【００５９】
Ｓ２０３において、検索確認部１２ａは、希望医薬品情報入力画面６０において検索開始ボタン６３がマウス（図示していない）によりクリックされ選択されると、エージェントを生成する。検索確認部１２ａは、生成したエージェントを通信部３２ａから送信する。そして、エージェントに前記の「ＡＢＣ薬局」、「１２３薬局」等に設置された供給側端末（薬局端末１００ｂ、薬局端末１００ｃ等）である薬局端末（グループ所属端末）を巡回させる。そして、検索確認部１２ａは、エージェントにそれぞれの薬局端末の供給可能医薬品情報記憶部２７ｂ、供給可能医薬品情報記憶部２７ｃ等の記憶する供給可能医薬品情報を検索させ、入手を希望する医薬品の供給を受けることが可能かどうかを確認させる。すなわち、検索確認部１２ａは、エージェントに、それぞれの供給可能医薬品情報記憶部の記憶する供給可能医薬品情報に供給可能な医薬品が存在するかどうか、及び存在する場合には供給可能な医薬品の小分数を確認させる。
【００６０】
Ｓ２０４において、検索確認部１２ａは、エージェントが各薬局端末の巡回を終えて戻ると、検索確認結果を検索情報記憶部１３ａに記憶するとともに、検索確認結果を表示部３１ａに表示する。図９は、検索確認結果として表示部３１ａに表示する検索結果画面７０である。図では、入手を希望する医薬品「ビ○ス○」の提供可能な薬局として、「ＡＢＣ薬局」、「１２３薬局」、「ＺＺＺ薬局」の３つが「薬局名表示部７１」に表示されている。また小分数表示部７３には、「ＡＢＣ薬局」、「１２３薬局」等が供給可能な医薬品の小分数が表示されている。これにより需要側端末である薬局端末１００ａのユーザは、いかなる薬局に、どれだけの供給可能な医薬品の備蓄があるかを、各薬局に電話確認などをすることなく、知ることができる。
【００６１】
Ｓ２０５において、需要側端末である薬局端末１００ａのユーザが図９の検索結果画面７０の薬局情報ボタン７２をマウス（図示していない）によりクリックして選択すると、端末リスト記憶部１５ａは該当する需要側端末についての自薬局情報を出力して表示部３１ａに表示させる。すなわち、「薬局名表示部７１」に表示された「ＡＢＣ薬局」、「１２３薬局」及び「ＺＺＺ薬局」についての自薬局情報を表示する。これら薬局についての自薬局情報は図６に示した内容である。ユーザは表示された「ＡＢＣ薬局」、「１２３薬局」及び「ＺＺＺ薬局」についての自薬局情報から、これらの薬局へ医薬品の供給を依頼する電話番号やファクス番号等を知ることができる。前記Ｓ２０１〜Ｓ２０５の過程は、図３に示したＳ６の検索、確認に相当する。
【００６２】
次に、Ｓ２０６において、薬局端末１００ａのユーザは、電話、ファクス等により「ＡＢＣ薬局」、「１２３薬局」及び「ＺＺＺ薬局」等に入手を希望する医薬品の小分けを依頼する。このＳ２０６は図３のＳ７の小分依頼に相当する。
【００６３】
そして、Ｓ２０６において、薬局端末１００ａのユーザは、供給側端末を設置する「ＡＢＣ薬局」、「１２３薬局」、「ＺＺＺ薬局」等から小分依頼に対応する応答を受ける。この応答は、供給側端末である薬局端末から電子メールでされてもよいし、電話連絡、ファクス連絡等どのような連絡方法でも構わない。この応答には、「ＡＢＣ薬局」、「１２３薬局」、「ＺＺＺ薬局」等が医薬品を供給するかどうか、供給する場合にはその医薬品の小分数を含む。
【００６４】
実施の形態１に係る医薬情報検索システムを使用することで、入手を希望する医薬品が見つかるまで、近隣薬局に電話をかけ続ける手間が不要となる。
【００６５】
実施の形態１に係る医薬情報検索システムは、需要側／供給側が同列の接続形態でピア・ツー・ピアとして接続されているため、特別なホスト端末を使ったサイト運営が不要となり、運営費用が不要となる。
【００６６】
実施の形態１に係る薬局端末は、他の薬局端末を順次検索する検索確認部を備えたので、近隣薬局に電話確認をすることなく容易に医薬品の情報を入手することができる。
【００６７】
実施の形態１に係る薬局端末は、検索対象グループ設定部を備えたので、検索する範囲を絞り効率的に他の薬局端末を検索することができる。
【００６８】
実施の形態１に係る薬局端末は、検索確認部がエージェントを生成して他の薬局端末を巡回させるので、漏れなく効率的に希望医薬品情報を得ることができる。
【００６９】
実施の形態２．
図１０、図１１を用いて実施の形態２を説明する。実施の形態２は、前記の実施の形態１に係る薬局端末１００ａの検索確認の動作を、方法、プログラム及びプログラムを記録した記録媒体により実施する実施形態である。
【００７０】
前記の実施の形態１においては、薬局端末１００ａにおける各構成要素の検索確認の動作は互いに関連しており、前記に示した動作の関連を考慮しながら、一連の動作として置き換えることができる。そして、このように置き換えることにより、方法の実施形態とすることができる。
【００７１】
図１０は、実施の形態１の薬局端末１００ａにおける希望医薬品情報入力部１１ａの動作、検索確認部１２ａの動作、及び表示部３１ａの動作を、一連の動作として方法の実施態様として把握したフローチャートを示す。
【００７２】
Ｓ３０１において、入手を希望する医薬品の情報を示す希望医薬品情報を受け付ける。
【００７３】
Ｓ３０２において、受け付けた希望医薬品情報に基づいて、複数の供給側端末のうち少なくとも一つの供給側端末が記憶する供給可能医薬品情報を検索し入手を希望する医薬品の供給を受けることが可能かどうかを確認する。
【００７４】
Ｓ３０３において、確認結果を表示する。
【００７５】
また、各構成要素の動作から把握した上記Ｓ３０１〜Ｓ３０３を、各構成要素の処理と置き換えることにより、プログラムの実施形態とすることができる。すなわち、図１０のＳ３０１〜Ｓ３０３の工程を、処理と置き換えることにより、プログラムの実施形態とすることができる。
【００７６】
また、プログラムを光ディスクやフレキシブルディスク等のコンピュータ読み取り可能な記録媒体に記録させることで、プログラムを記録したコンピュータ読み取り可能な記録媒体の実施形態とすることができる。
【００７７】
プログラムの実施の形態及びプログラムを記録したコンピュータ読み取り可能な記録媒体の実施の形態は、すべてコンピュータで動作可能なプログラムにより構成することができる。
【００７８】
図１１は、実施の形態１に係る薬局端末１００ａにおける動作を、プログラムにより実行する場合を示す、実施の形態２に係るコンピュータシステム３００の構成を示す図である。
【００７９】
ＣＰＵ（Ｃｅｎｔｒａｌ  Ｐｒｏｃｅｓｓｉｎｇ  Ｕｎｉｔ）３１０は、バス３１１を介して、ＲＯＭ（Ｒｅａｄ  Ｏｎｌｙ  Ｍｅｍｏｒｙ）３２０、ＲＡＭ（Ｒａｎｄｏｍ  Ａｃｃｅｓｓ  Ｍｅｍｏｒｙ）３２１、磁気記憶装置３４０、光ディスクドライブ３５０、モニタ３６０、入力キー３８０、通信ポート３９０等と接続されている。また、磁気記憶装置３４０には、オペレーティングシステムであるＯＳ３４１、プログラム群３４２、データ群３４３が格納されている。
【００８０】
プログラム群３４２は、ＣＰＵ３１０、ＯＳ３４１により実行される。また、薬局端末１００ａの機能を実現する医薬品情報検索プログラムを記録した光ディスク３５１（プログラムを記録したコンピュータ読み取り可能な記録媒体の一例）を、光ディスクドライブ３５０にセットして、磁気記憶装置３４０に記憶させることができる。
【００８１】
図２の薬局端末１００ａと、図１１のコンピュータシステム３００との対応関係を説明する。希望医薬品情報入力部１１ａは、プログラム群３４２に記憶されたプログラムが対応する。このプログラムは、入力キー３８０から入力を受け付けて処理を行う。検索確認部１２ａは、プログラム群３４２に記憶されたプログラムが対応する。検索情報記憶部１３ａは、データ群３４３、あるいはＲＡＭ３２１が対応する。検索対象グループ設定部１４ａは、プログラム群３４２に記憶されたプログラムが対応する。端末リスト記憶部１５ａは、データ群３４３が対応する。自薬局情報入力部２１ａは、プログラム群３４２に記憶されたプログラムが対応する。このプログラムは、入力キー３８０から入力を受け付けて処理を行う。同報発信制御部２３ａは、プログラム群３４２に記憶されたプログラム及び通信ポート３９０が対応する。在庫医薬品情報管理部２４ａは、プログラム群３４２に記憶されたプログラムが対応する。指定フォルダ２５ａは、データ群３４３が対応する。供給可能医薬品情報作成部２６ａは、プログラム群３４２に記憶されたプログラムが対応する。供給可能医薬品情報記憶部２７ａは、データ群３４３が対応する。表示部３１ａは、モニタ３６０が対応する。通信部３２ａはプログラム群３４２に記憶されたプログラム及び通信ポート３９０が対応する。
【００８２】
プログラムの実施の形態及びプログラムを記録したコンピュータ読み取り可能な記録媒体の実施の形態における各処理は、プログラムで実行されるが、このプログラムは、前述のように磁気記憶装置３４０に記憶されている。磁気記憶装置３４０には、例えば、プログラムを記録した記録媒体である光ディスク３５１を光ディスクドライブ３５０にセットして、格納する。そして、格納したプログラムは、磁気記憶装置３４０からＣＰＵ３１０に読み込まれ、ＣＰＵ３１０によって、図１０に示した動作を含む実施の形態１の薬局端末１００ａと同様の各動作が実行される。
【００８３】
また、ソフトウェア、あるいはプログラムは、ＲＯＭ３２０に記憶されたファームウェアで実行されても構わない。あるいは、ソフトウェアとファームウェアとハードウェアの組み合わせでプログラムを実現しても構わない。
【００８４】
実施の形態２に係るプログラムによれば、実施の形態１の薬局端末１００ａと同様の効果を得ることができるのに加え、専用装置を必要とすることなく、汎用のコンピュータシステムを用いて入手を希望する医薬品の検索を行うことができる。
【００８５】
実施の形態２に係るコンピュータ読み取り可能な記録媒体はプログラムを記録するので、他のコンピュータシステムに前記プログラムを容易に組み込むことができる。また、前記プログラムの保管、管理を容易に行うことができる。
【図面の簡単な説明】
【００８６】
【図１】実施の形態１に係る医薬品情報検索システム１１１を示す図である。
【図２】実施の形態１に係る薬局端末１００ａのブロック図を示す。
【図３】医薬品情報検索システム１１１における薬局端末の動作の概要を示すシーケンス図である。
【図４】供給可能医薬品情報の蓄積を説明するフローチャートである。
【図５】供給可能医薬品情報記憶部に蓄積される供給可能医薬品情報を整備するためのメンテナンス画面を示す図である。
【図６】初期設定画面５０を示す図である。
【図７】需要側端末である薬局端末１００ａが供給側端末を検索して、入手を希望する医薬品の供給を受けるまでの過程を示すフローチャートである。
【図８】薬局端末１００ａの表示部３１ａに表示される希望医薬品情報入力画面６０を示す図である。
【図９】薬局端末１００ａの表示部３１ａに表示される検索結果画面７０を示す図である。
【図１０】薬局端末１００ａにおける希望医薬品情報入力部１１ａの動作、検索確認部１２ａの動作、及び表示部３１ａの動作を、一連の動作として方法の実施態様として把握したフローチャートを示す。
【図１１】実施の形態２に係るコンピュータシステム３００の構成を示す図である。
【図１２】従来の在庫管理検索システムを示す図である。
【符号の説明】
【００８７】
１ａ，１ｂ，１ｃ，１ｄ，１ｅ  クライアント端末、２  ホストコンピュータ、３  通信網、１０ａ  需要部、１１ａ  希望医薬品情報入力部、１２ａ  検索確認部、１３ａ  検索情報記憶部、１４ａ  検索対象グループ設定部、１５ａ  端末リスト記憶部、１６ａ  端末リスト、１７ａ  グループリスト、２０ａ  供給部、２１ａ  自薬局情報入力部、２３ａ  同報発信制御部、２４ａ  在庫医薬品情報管理部、２５ａ  指定フォルダ、２６ａ  供給可能医薬品情報作成部、２７ａ  供給可能医薬品情報記憶部、３１ａ  表示部、３２ａ  通信部、４０  小分可能医薬品メンテナンス画面、４１  自局小分可能医薬品一覧、４２  小分可能医薬品入力部、５０  初期設定画面、５１  グループ名入力部、６０  希望医薬品情報入力画面、６１  検索医薬品入力部、６２  グループ名入力部、６３  検索開始ボタン、７０  検索結果画面、７１  薬局名表示部、７２  薬局情報ボタン、７３  小分数表示部、１００ａ，１００ｂ，１００ｃ  薬局端末、１１０ａ，１１０ｂ，１１０ｃ  薬局、１１１  医薬品情報検索システム、２００  ネットワーク、３００  コンピュータシステム、３１０  ＣＰＵ、３１１  バス、３２０  ＲＯＭ、３２１  ＲＡＭ、３４０  磁気記憶装置、３４１  ＯＳ、３４２  プログラム群、３４３  データ群、３５０  光ディスクドライブ、３５１  光ディスク、３６０  モニタ、３８０  入力キー、３９０  通信ポート。
【図１】
2005250617.tif 000003
【図２】
2005250617.tif 000004
【図３】
2005250617.tif 000005
【図４】
2005250617.tif 000006
【図５】
2005250617.tif 000007
【図６】
2005250617.tif 000008
【図７】
2005250617.tif 000009
【図８】
2005250617.tif 000010
【図９】
2005250617.tif 000011
【図１０】
2005250617.tif 000012
【図１１】
2005250617.tif 000013
【図１２】
2005250617.tif 000014